(57)【要約】【課題】  画像形成動作時の消費電力量の予測値を画像形成装置の状態に応じて精度良く求める。【解決手段】  ＣＰＵ１０は、印刷前に、印刷時の消費電力量の予測値Ｐを、印刷条件毎の印刷枚数ＮＰ及び所定係数ｘｎとＰ＝ｘ1Ｎｐｎ＋ｘ2Ｎｐ（ｎ−１）＋…＋ｘｎ−１Ｎｐ＋ｘｎ（ｎは１以上の整数）の式に基づく演算処理によって算出し、操作表示部４に表示する。また、印刷毎に印刷条件毎の印刷枚数と消費電力量との組を蓄積し、その総数がｎ個になった場合、その印刷条件についてｎ個の組の印刷枚数Ｎｐと消費電力量Ｐ′とＰ′＝ｘ′1Ｎｐｎ＋ｘ′2Ｎｐ（ｎ−１）＋…＋ｘ′ｎ−１Ｎｐ＋ｘ′ｎ（ｎは１以上の整数）の式に基づく演算処理によって所定係数ｘ′ｎを算出し、上記所定係数ｘｎを上記所定係数ｘ′ｎに更新する。【選択図】        図１
2013097030.tif 000002
【特許請求の範囲】
【請求項１】
印刷条件毎に所定係数と印刷枚数とから印刷手段による印刷時の消費電力量の予測値を算出する消費電力算出式と前記印刷条件毎の前記所定係数を記憶する記憶手段と、
指定された印刷条件及び印刷枚数と、前記記憶手段に記憶されている前記消費電力算出式及び前記指定された印刷条件に対応する所定係数に基いて、その指定された印刷条件及び印刷枚数による印刷の消費電力量の予測値を算出する予測値算出手段と、
前記予測値算出手段によって算出した消費電力量の予測値を通知する通知手段と、
前記印刷手段の印刷動作中に消費電力量を計測する計測手段と、
前記印刷手段が指定された印刷条件及び印刷枚数で印刷動作を行った際の前記計測手段が計測した消費電力量と、その指定された印刷条件及び印刷枚数とを対応させて蓄積する消費電力記憶手段と、
前記消費電力記憶手段に、ある印刷条件について消費電力量と印刷枚数との組み合わせが所定数蓄積された場合に、該所定数の消費電力量及び印刷枚数の組に基づき、該印刷条件についての前記所定係数の値を算出する係数算出手段と、
前記係数算出手段が前記所定係数の値を算出した場合に、前記記憶手段が記憶する、前記ある印刷条件についての所定係数を、該算出した値に更新する更新手段とを備えたことを特徴とする画像形成装置。
【請求項２】
前記記憶手段は、前記印刷条件毎にｎ個の所定係数ｘ１〜ｘｎと印刷枚数Ｎｐとから前記印刷手段による印刷時の消費電力量の予測値Ｐを算出する式１の消費電力算出式と前記印刷条件毎のｎ個の所定係数ｘ１〜ｘｎを記憶する手段を有し、
〔式１〕Ｐ＝ｘ１Ｆ１（Ｎｐ）＋ｘ２Ｆ２（Ｎｐ）＋…＋ｘｎ−１Ｆｎ−１（Ｎｐ）＋ｘｎＦｎ（Ｎｐ）
（ｎは１以上の整数、Ｆ１（Ｎｐ）〜Ｆｎ（Ｎｐ）はＮｐを変数とするそれぞれ異なる関数）
前記予測値算出手段は、前記指定された印刷条件及び印刷枚数Ｎｐと、前記記憶手段に記憶されている前記式１の消費電力算出式及び前記指定された印刷条件に対応するｎ個の所定係数ｘ１〜ｘｎに基いてその指定された印刷条件及び印刷枚数Ｎｐによる印刷の消費電力量の予測値Ｐを算出する手段を有し、
前記消費電力記憶手段は、前記印刷手段が指定された印刷条件及び印刷枚数Ｎｐで印刷動作を行った際の前記計測手段が計測した消費電力量と、その指定された印刷条件及び印刷枚数Ｎｐとを対応させて蓄積する手段を有し、
前記係数算出手段は、前記消費電力記憶手段に、ある印刷条件についてｎ組の消費電力量及び印刷枚数が蓄積された場合に、該ｎ組の消費電力量及び印刷枚数をそれぞれ前記式１のＰ及びＮｐに代入して得られる式から該印刷条件についての前記ｎ個の所定係数ｘ１〜ｘｎの値を算出する手段を有し、
前記更新手段は、前記係数算出手段が前記ｎ個の所定係数ｘ１〜ｘｎの値を算出した場合に、前記記憶手段が記憶する、前記ある印刷条件についてのｎ個の所定係数ｘ１〜ｘｎを、該算出した値に更新する手段を有することを特徴とする請求項１記載の画像形成装置。
【請求項３】
前記記憶手段は、前記印刷条件毎にｎ個の所定係数ａ１〜ａｎと印刷枚数Ｎｐとから前記印刷手段による印刷時の交流消費電力量の予測値ＰＡＣを算出する式２の交流消費電力算出式と、前記印刷条件毎のｎ個の所定係数ａ１〜ａｎと、前記印刷条件毎にｎ個の所定係数ｂ１〜ｂｎと印刷枚数Ｎｐとから前記印刷手段による印刷時の直流消費電力量の予測値ＰＤＣを算出する式３の直流消費電力算出式と、前記印刷条件毎のｎ個の所定係数ｂ１〜ｂｎと、前記印刷時の交流消費電力量の予測値ＰＡＣと直流消費電力量の予測値ＰＤＣとから前記印刷手段による印刷時の消費電力量の予測値Ｐを算出する式４の消費電力算出式とを記憶する手段を有し、
〔式２〕ＰＡＣ＝ａ１Ｇ1（Ｎｐ）＋ａ２Ｇ2（Ｎｐ）＋…＋ａｎ−１Ｇn-1（Ｎｐ）＋ａｎＧn（Ｎｐ）
（ｎは１以上の整数、Ｇ１（Ｎｐ）〜Ｇｎ（Ｎｐ）はＮｐを変数とするそれぞれ異なる関数）
〔式３〕ＰＤＣ＝ｂ１Ｈ1（Ｎｐ）＋ｂ２Ｈ2（Ｎｐ）＋…＋ｂｎ−１Ｈn-1（Ｎｐ）＋ｂｎＨn（Ｎｐ）
（ｎは１以上の整数、Ｈ１（Ｎｐ）〜Ｈｎ（Ｎｐ）はＮｐを変数とするそれぞれ異なる関数）
〔式４〕Ｐ＝ＰＡＣ＋ＰＤＣ
前記予測値算出手段は、前記指定された印刷条件及び印刷枚数Ｎｐと前記記憶手段に記憶されている前記式２の交流消費電力算出式及び前記指定された印刷条件に対応するｎ個の所定係数ａ１〜ａｎに基いてその指定された印刷条件及び印刷枚数Ｎｐによる印刷の交流消費電力量の予測値ＰＡＣを算出し、前記指定された印刷条件及び印刷枚数Ｎｐと前記記憶手段に記憶されている前記式３の直流消費電力算出式及び前記指定された印刷条件に対応するｎ個の所定係数ｂ１〜ｂｎに基いてその指定された印刷条件及び印刷枚数Ｎｐによる印刷の直流消費電力量の予測値ＰＤＣを算出し、前記算出した交流消費電力量の予測値ＰＡＣと直流消費電力量の予測値ＰＤＣと前記式４の消費電力算出式に基いてその指定された印刷条件及び印刷枚数Ｎｐによる印刷の消費電力量の予測値Ｐを算出する手段を有し、
前記計測手段は、前記印刷手段の印刷動作中に交流消費電力量を計測する交流消費電力計測手段と、前記印刷手段の印刷動作中に直流消費電力量を計測する直流消費電力計測手段とを有し、
前記消費電力記憶手段は、前記印刷手段が指定された印刷条件及び印刷枚数Ｎｐで印刷動作を行った際の前記交流消費電力計測手段が計測した交流消費電力量と前記直流消費電力計測手段が計測した直流消費電力量と、その指定された印刷条件及び印刷枚数Ｎｐとを対応させて蓄積する手段を有し、
前記係数算出手段は、前記消費電力記憶手段に、ある印刷条件についてｎ組の交流消費電力量と直流消費電力量と印刷枚数Ｎｐが蓄積された場合に、該ｎ組の交流消費電力量及び印刷枚数をそれぞれ前記式２のＰＡＣとＮｐに代入して得られる式から該印刷条件についての前記ｎ個の所定係数ａ１〜ａｎの値を算出し、前記ｎ組の直流消費電力量及び印刷枚数をそれぞれ前記式３のＰＤＣとＮｐに代入して得られる式から該印刷条件についての前記ｎ個の所定係数ｂ１〜ｂｎの値を算出する手段を有し、
前記更新手段は、前記係数算出手段が前記ｎ個の所定係数ａ１〜ａｎ及び前記ｎ個の所定係数ｂ１〜ｂｎの値を算出した場合に、前記記憶手段が記憶する、前記ある印刷条件についてのｎ個の所定係数ａ１〜ａｎとｎ個の所定係数ｂ１〜ｂｎを、該算出した値に更新する手段を有することを特徴とする請求項１記載の画像形成装置。
【請求項４】
前記印刷手段によって記録媒体に印刷された画像を前記記録媒体上に定着させる定着手段の温度Ｔを測定する温度測定手段を設け、
前記記憶手段は、前記印刷条件毎にｎ個の所定係数ｃ１〜ｃｎと前記温度測定手段によって測定された温度Ｔとから前記印刷手段による印刷のために前記定着手段が定着可能な温度に達するまでの立上げ予測時間ｔを算出する式５の立上げ時間算出式と、前記印刷条件毎のｎ個の所定係数ｃ１〜ｃｎと、前記印刷条件毎にｎ個の所定係数ｄ１〜ｄｎと前記立上げ予測時間ｔとから前記定着手段が前記立上げ予測時間ｔに消費する立上げ時交流消費電力量の予測値ＰＳＡＣを算出する式６の立上げ時交流消費電力算出式と、前記印刷条件毎のｎ個の所定係数ｄ１〜ｄｎと、前記印刷条件毎にｎ個の所定係数ｅ１〜ｅｎと前記立上げ予測時間ｔとから前記定着手段が前記立上げ時間ｔに消費する立上げ時直流消費電力量の予測値ＰＳＤＣを算出する式７の立上げ時直流消費電力算出式と、前記印刷条件毎のｎ個の所定係数ｅ１〜ｅｎと、前記印刷条件毎にｎ個の所定係数ｆ１〜ｆｎと印刷枚数Ｎｐとから前記印刷手段による印刷時の交流消費電力量の予測値ＰＰＡＣを算出する式８の交流消費電力算出式と、前記印刷条件毎のｎ個の所定係数ｆ１〜ｆｎと、前記印刷条件毎にｎ個の所定係数ｇ１〜ｇｎと印刷枚数Ｎｐとから前記印刷手段による印刷時の直流消費電力量の予測値ＰＰＤＣを算出する式９の直流消費電力算出式と、前記印刷条件毎のｎ個の所定係数ｇ１〜ｇｎと、前記立上げ時交流消費電力量の予測値ＰＳＡＣと前記立上げ時直流消費電力量の予測値ＰＳＤＣと前記印刷時の交流消費電力量の予測値ＰＰＡＣと前記印刷時の直流消費電力量の予測値ＰＰＤＣとから前記印刷手段による印刷時の消費電力量の予測値Ｐを算出する式１０の消費電力算出式とを記憶する手段を有し、
〔式５〕ｔ＝ｃ１Ｉ１（Ｔ）＋ｃ２Ｉ２（Ｔ）＋…＋ｃｎ−１Ｉｎ−１（Ｔ）＋ｃｎＩｎ（Ｔ）
（ｎは１以上の整数、Ｉ１（Ｔ）〜Ｉｎ（Ｔ）はＴを変数とするそれぞれ異なる関数）
〔式６〕ＰＳＡＣ＝ｄ１Ｊ１（ｔ）＋ｄ２Ｊ２（ｔ）＋…＋ｄｎ−１Ｊｎ−１（ｔ）＋ｄｎＪｎ（ｔ）
（ｎは１以上の整数、Ｊ１（ｔ）〜Ｊｎ（ｔ）はｔを変数とするそれぞれ異なる関数）
〔式７〕ＰＳＤＣ＝ｅ１Ｋ１（ｔ）＋ｅ２Ｋ２（ｔ）＋…＋ｅｎ−１Ｋｎ−１（ｔ）＋ｅｎＫｎ（ｔ）
（ｎは１以上の整数、Ｋ１（ｔ）〜Ｋｎ（ｔ）はｔを変数とするそれぞれ異なる関数）
〔式８〕ＰＰＡＣ＝ｆ１Ｌ１（Ｎｐ）＋ｆ２Ｌ２（Ｎｐ）＋…＋ｆｎ−１Ｌｎ−１（Ｎｐ）＋ｆｎＬｎ（Ｎｐ）
（ｎは１以上の整数、Ｌ１（Ｎｐ）〜Ｌｎ（Ｎｐ）はＮｐを変数とするそれぞれ異なる関数）
〔式９〕ＰＰＤＣ＝ｇ１Ｍ１（Ｎｐ）＋ｇ２Ｍ２（Ｎｐ）＋…＋ｇｎ−１Ｍｎ−１（Ｎｐ）＋ｇｎＭｎ（Ｎｐ）
（ｎは１以上の整数、Ｍ１（Ｎｐ）〜Ｍｎ（Ｎｐ）はＮｐを変数とするそれぞれ異なる関数）
〔式１０〕Ｐ＝ＰＳＡＣ＋ＰＳＤＣ＋ＰＰＡＣ＋ＰＰＤＣ
前記予測値算出手段は、前記指定された印刷条件と、該印刷条件及び印刷枚数Ｎｐが指定されたときに前記温度測定手段で測定された温度Ｔと、前記記憶手段に記憶されている前記式５の立上げ時間算出式及び前記指定された印刷条件に対応するｎ個の所定係数ｃ１〜ｃｎに基いてその指定された印刷条件による印刷のために前記定着手段が定着可能な温度に達するまでの立上げ予測時間ｔを算出し、前記指定された印刷条件と、前記算出した立上げ予測時間ｔと、前記記憶手段に記憶されている前記式６の立上げ時交流消費電力算出式及び前記指定された印刷条件に対応するｎ個の所定係数ｄ１〜ｄｎに基いて前記定着手段が前記立上げ予測時間ｔに消費する立上げ時交流消費電力量の予測値ＰＳＡＣを算出し、前記指定された印刷条件と、前記算出した立上げ予測時間ｔと、前記記憶手段に記憶されている前記式７の立上げ時直流消費電力算出式及び前記指定された印刷条件に対応するｎ個の所定係数ｅ１〜ｅｎに基いて前記定着手段が前記立上げ予測時間ｔに消費する立上げ時直流消費電力量の予測値ＰＳＤＣを算出し、前記指定された印刷条件及び印刷枚数Ｎｐと、前記記憶手段に記憶されている前記式８の交流消費電力算出式及び前記指定された印刷条件に対応するｎ個の所定係数ｆ１〜ｆｎに基いてその指定された印刷条件及び印刷枚数Ｎｐによる印刷の交流消費電力量の予測値ＰＰＡＣを算出し、前記指定された印刷条件及び印刷枚数Ｎｐと、前記記憶手段に記憶されている前記式９の直流消費電力算出式及び前記指定された印刷条件に対応するｎ個の所定係数ｇ１〜ｇｎに基いてその指定された印刷条件及び印刷枚数Ｎｐによる印刷の直流消費電力量の予測値ＰＰＤＣを算出し、前記算出した前記立上げ時交流消費電力量の予測値ＰＳＡＣと前記立上げ時直流消費電力量の予測値ＰＳＤＣと前記交流消費電力量の予測値ＰＰＡＣと前記直流消費電力量の予測値ＰＰＤＣと前記式１０の消費電力算出式とに基いてその指定された印刷条件及び印刷枚数Ｎｐによる印刷の消費電力量の予測値Ｐを算出する手段を有し、
前記計測手段は、前記印刷手段で印刷する際に前記定着手段が定着可能な温度に達するまでの立上げ時間を計測する立上げ時間計測手段と、前記立上げ時間に消費する交流消費電力量と前記印刷手段の印刷動作中の交流消費電力量をそれぞれ計測する交流消費電力計測手段と、前記立上げ時間に消費する直流消費電力量と前記印刷手段の印刷動作中の直流消費電力量をそれぞれ計測する直流消費電力計測手段とを有し、
前記消費電力記憶手段は、前記印刷手段が指定された印刷条件及び印刷枚数Ｎｐで印刷する際に前記温度測定手段で測定された温度と、前記印刷手段が指定された印刷条件及び印刷枚数Ｎｐで印刷動作を行った際の前記立上げ時間計測手段が計測した立上げ時間と、前記交流消費電力計測手段が計測した前記立上げ時間に消費する交流消費電力量及び前記印刷手段の印刷動作中の交流消費電力量と、前記直流消費電力計測手段が計測した前記立上げ時間に消費する直流消費電力量及び前記印刷手段の印刷動作中の直流消費電力量と、その指定された印刷条件及び印刷枚数Ｎｐとを対応させて蓄積する手段を有し、
前記係数算出手段は、前記消費電力記憶手段に、ある印刷条件についてｎ組の前記温度と前記立上げ時間と前記立上げ時間に消費する交流消費電力量及び前記印刷手段の印刷動作中の交流消費電力量と前記立上げ時間に消費する直流消費電力量及び前記印刷手段の印刷動作中の直流消費電力量と印刷枚数Ｎｐが蓄積された場合に、該ｎ組の温度及び立上げ時間とをそれぞれ前記式５のＴとｔに代入して得られる式から該印刷条件についての前記ｎ個の所定係数ｃ１〜ｃｎの値を算出し、前記ｎ組の立上げ時間及び該立上げ時間に消費する交流消費電力量をそれぞれ前記式６のｔとＰＳＡＣに代入して得られる式から該印刷条件についての前記ｎ個の所定係数ｄ１〜ｄｎの値を算出し、前記ｎ組の立上げ時間及び該立上げ時間に消費する直流消費電力量をそれぞれ前記式７のｔとＰＳＤＣに代入して得られる式から該印刷条件についての前記ｎ個の所定係数ｅ１〜ｅｎの値を算出し、前記ｎ組の前記印刷動作中の交流消費電力量及び印刷枚数をそれぞれ前記式８のＰＰＡＣとＮｐに代入して得られる式から該印刷条件についての前記ｎ個の所定係数ｆ１〜ｆｎの値を算出し、前記ｎ組の前記印刷動作中の直流消費電力量及び印刷枚数をそれぞれ前記式９のＰＰＤＣとＮｐに代入して得られる式から該印刷条件についての前記ｎ個の所定係数ｇ１〜ｇｎの値を算出する手段を有し、
前記更新手段は、前記係数算出手段が前記ｎ個の所定係数ｃ１〜ｃｎ、前記ｎ個の所定係数ｄ１〜ｄｎ、前記ｎ個の所定係数ｅ１〜ｅｎ、前記ｎ個の所定係数ｆ１〜ｆｎ、及び前記ｎ個の所定係数ｇ１〜ｇｎの値を算出した場合に、前記記憶手段が記憶する、前記ある印刷条件についてのｎ個の所定係数ｃ１〜ｃｎ、ｎ個の所定係数ｄ１〜ｄｎ、ｎ個の所定係数ｅ１〜ｅｎ、ｎ個の所定係数ｆ１〜ｆｎ、及びｎ個の所定係数ｇ１〜ｇｎを、該算出した値にそれぞれ更新する手段を有することを特徴とする請求項１記載の画像形成装置。
【請求項５】
前記印刷条件は、モノクロ印刷、カラー印刷、印刷用紙サイズ、印刷用紙厚さ設定情報、印刷のディザリング設定情報、印刷速度設定情報、又は印刷に使用する用紙が蓄積されている給紙トレイの場所情報を含む情報であることを特徴とする請求項１乃至４のいずれか一項に記載された画像形成装置。
【請求項６】
前記ｎの値を変更する手段を設けたことを特徴とする請求項１乃至５のいずれか一項に記載された画像形成装置。
【請求項７】
前記通知手段は、前記消費電力量の予測値を使用者に表示して通知する手段であることを特徴とする請求項１乃至６のいずれか一項に記載された画像形成装置。
【請求項８】
前記通知手段は、前記消費電力量の予測値を当該画像形成装置に接続されるホストコンピュータに通知する手段であることを特徴とする請求項１乃至６のいずれか一項に記載された画像形成装置。
【発明の詳細な説明】
【技術分野】
【０００１】
この発明は、ファクシミリ装置、スキャナ装置、プリンタ、複写機、並びにそれらの装置の機能を備えた複合機を含む画像形成装置に関する。
【背景技術】
【０００２】
従来、使用者に対して、印刷実行開始前に画像形成装置の消費する消費電力量を印刷モード、印刷枚数の差異により予め設定された一定の値に基づき消費電力量を算出し、その消費電力量を通知する画像形成装置があった。
また、ネットワークに接続される画像形成装置から消費電力量算出用情報を収集し、収集した消費電力量算出用情報に基づき、印刷枚数と、その印刷枚数の印刷をその時点において開始させた場合に消費されることになる電力量が最も小さいプリンタとの対応関係を特定してユーザに通知する機能を有する画像形成装置（例えば、特許文献１参照）があった。
【発明の概要】
【発明が解決しようとする課題】
【０００３】
しかしながら、上述した従来の画像形成装置では、消費電力量を通知する際、印刷モード、印刷枚数の差異により予め設定された一定の値に基づき消費電力量を算出しているため、画像形成装置の状態、例えば、定着器の温度、経年変化に伴う駆動部品の劣化等の状態の変化に対し、消費電力量を精度良く算出できないという問題があった。
この発明は上記の点に鑑みてなされたものであり、画像形成動作時の消費電力量の予測値を画像形成装置の状態に応じて精度良く求めるようにすることを目的とする。
【課題を解決するための手段】
【０００４】
この発明は上記の目的を達成するため、印刷条件毎に所定係数と印刷枚数とから印刷手段による印刷時の消費電力量の予測値を算出する消費電力算出式と上記印刷条件毎の上記所定係数を記憶する記憶手段と、指定された印刷条件及び印刷枚数と、上記記憶手段に記憶されている上記消費電力算出式及び上記指定された印刷条件に対応する所定係数に基いて、その指定された印刷条件及び印刷枚数による印刷の消費電力量の予測値を算出する予測値算出手段と、上記予測値算出手段によって算出した消費電力量の予測値を通知する通知手段と、上記印刷手段の印刷動作中に消費電力量を計測する計測手段と、上記印刷手段が指定された印刷条件及び印刷枚数で印刷動作を行った際の上記計測手段が計測した消費電力量と、その指定された印刷条件及び印刷枚数とを対応させて蓄積する消費電力記憶手段と、上記消費電力記憶手段に、ある印刷条件について消費電力量と印刷枚数との組み合わせが所定数蓄積された場合に、その所定数の消費電力量及び印刷枚数の組に基づき、その印刷条件についての上記所定係数の値を算出する係数算出手段と、上記係数算出手段が上記所定係数の値を算出した場合に、上記記憶手段が記憶する、上記ある印刷条件についての所定係数を、その算出した値に更新する更新手段を備えた画像形成装置を提供する。
【発明の効果】
【０００５】
この発明による画像形成装置は、画像形成動作時の消費電力量の予測値を画像形成装置の状態に応じて精度良く求めることができる。
【図面の簡単な説明】
【０００６】
【図１】発明の一実施形態である画像形成装置のハードウェア構成を示す図である。
【図２】図１の画像形成装置が印刷時に消費電力量の予測値を通知する処理を示すフローチャート図である。
【図３】消費電力量の予測値を算出する演算式の印刷条件毎の係数値例の表を示す図である。
【図４】図１の画像形成装置が印刷の消費電力量の予測値を算出する際に用いる係数を更新する処理のフローチャート図である。
【図５】図１の画像形成装置が印刷の消費電力量の予測値を通知する他の処理例を示すフローチャート図である。
【図６】消費電力量の予測値を算出する演算式の印刷条件毎の他の係数値例の表を示す図である。
【図７】図１の画像形成装置が印刷の消費電力量の予測値を算出する際に用いる係数を更新する他の処理例のフローチャート図である。
【発明を実施するための形態】
【０００７】
以下、この発明を実施するための形態を図面に基づいて具体的に説明する。
図１は、発明の一実施形態である画像形成装置のハードウェア構成を示す図である。
画像形成装置１は、通信、画像読取、印刷、及び複写の各機能を含む複数の機能を備えた複合機であり、通信網を介して外部装置とのファクシミリ通信、データ通信又はインターネット通信において、外部装置へ送信する画像データを画像読取機能によって読み取る画像形成動作、外部装置から受信した画像データを紙等の記録媒体に印刷する画像形成動作、画像読取機能によって読み取った画像データを記録媒体に印刷する複写の際の画像形成動作を行える装置である。
【０００８】
この画像形成装置１は、図１に示すように、制御部２、画像形成部３、操作表示部４、通信制御部５、及び電源部６を備えている。
なお、上記２〜６の各部の他に、例えば、給紙部等の公知の各部も備えているが、図示とその説明を省略する。
また、図１では、電源部６のＡＣ／ＤＣコンバータ７から操作表示部４、通信制御部５、ＡＣ消費電力量計測部１７、ＤＣ消費電力量計測部１８、及び温度検出部１９への直流電力供給ラインの図示を省略している。
【０００９】
電源部６は、交流直流（ＡＣ／ＤＣ）コンバータ７を搭載し、画像形成装置１の電力供給を司る。
この電源部６は、外部交流電源８から交流電力を入力して、ユーザによる電源オン操作を受け付けると、交流電力をＡＣ負荷部１５に供給すると共に、ＡＣ／ＤＣコンバータ７が交流電力を直流電力に変換し、制御部２及びＤＣ負荷部１６にそれぞれ直流電力を供給する。
【００１０】
画像形成部３は、原稿の画像を読み取ってその画像データを入力する画像読取機能であるスキャナ部、画像データを記録媒体に印刷するプロッタ部（いずれも公知なので図示を省略）を含む画像形成に関する各部を備えている。すなわち、印刷手段の機能を果たす。
また、画像形成部３は、交流電力負荷部（ＡＣ負荷部）１５、直流電力負荷部（ＤＣ負荷部）１６、ＡＣ消費電力量計測部１７、ＤＣ消費電力量計測部１８、及び温度検出部１９を備えている。
【００１１】
上記ＡＣ消費電力量計測部１７とＤＣ消費電力量計測部１８は、いずれも計測手段の機能を果たす。また、上記ＡＣ消費電力量計測部１７は交流消費電力計測手段の機能を、上記ＤＣ消費電力量計測部１８は直流消費電力計測手段の機能をそれぞれ果す。
この画像形成部３の各部は、電源部６から交流電力あるいは直流電力のそれぞれの供給を受けて、制御部２の制御により動作する。
【００１２】
ＡＣ負荷部１５は、電源部６から供給される交流電力によって駆動する上記図示を省略したスキャナ部及びプロッタ部の各部を含む各部を備えている。
図１では、ＡＣ負荷部１５内の各部の内の１つとして、記録媒体上に形成されたトナー像を記録媒体に押圧力と加熱によって定着させるハロゲンヒータ、ＩＨインバータ等の定着部２０を示している。この定着部は交流電力によって動作する。
【００１３】
ＤＣ負荷部１６は、電源部６のＡＣ／ＤＣコンバータ７から供給される直流電力によって駆動する上記図示を省略したスキャナ部の光源、各種のローラを回転駆動させるモータとクラッチ等の各部、同じく図示を省略したプロッタ部の光源、帯電部、露光部、感光体等を回転駆動させるモータとクラッチ等の各部、同じく図示を省略したハードディスク装置等の記憶装置を備えている。
【００１４】
ＡＣ消費電力量計測部１７は、ＡＣ／ＤＣコンバータ７から供給される直流電力によって駆動し、電源部６からＡＣ負荷部１５への電力供給ラインの交流電力量に基いて画像形成装置１が消費する交流消費電力量（以下「ＡＣ消費電力量」と表記する）を計測し、そのＡＣ消費電力量の情報を制御部２の入出力（Ｉ／Ｏ）制御部１４へ出力する。
すなわち、ＡＣ消費電力量計測部１７は、交流消費電力計測手段の機能を果たす。
【００１５】
ＤＣ消費電力量計測部１８は、ＡＣ／ＤＣコンバータ７から供給される直流電力によって駆動し、電源部６のＡＣ／ＤＣコンバータ７からＡＣ負荷部１５への電力供給ラインの直流電力量に基いて画像形成装置１が消費する直流消費電力量（以下「ＤＣ消費電力量」と表記する）を計測し、そのＤＣ消費電力量の情報を制御部２のＩ／Ｏ制御部１４へ出力する。
すなわち、ＤＣ消費電力量計測部１８は、直流消費電力計測手段の機能を果たす。
【００１６】
温度検出部１９は、ＡＣ／ＤＣコンバータ７から供給される直流電力によって駆動し、定着部２０の温度を検出し、その検出した温度情報を制御部２のＩ／Ｏ制御部１４へ出力する。すなわち、温度測定手段の機能を果たす。
操作表示部４は、ユーザからの各種の操作を受け付ける操作部と、ユーザに各種の情報を表示する表示部とからなり、ＡＣ／ＤＣコンバータ７から直流電力の供給を受けて、制御部２の制御により動作する。すなわち、通知手段の機能を果たす。
【００１７】
通信制御部５は、ファクシミリ通信、ローカルエリアネットワーク（「ＬＡＮ」と略称する）等のデータ通信、インターネット通信を含む通信網を介して外部装置との通信を制御し、Ｉ／Ｏ制御部１４から受け取ったデータを外部装置へ送信し、外部装置から受信してデータをＩ／Ｏ制御部１４へ送信する。すなわち、通知手段の機能を果たす。
制御部２は、ＣＰＵ１０、ＲＯＭ１１、ＲＡＭ１２、不揮発性ＲＡＭ１３、及びＩ／Ｏ制御部１４を備えており、電源部６のＡＣ／ＤＣコンバータ７から直流電力の供給を受けて動作する。
【００１８】
この制御部２では、ＣＰＵ１０が、ＲＡＭ１２を作業領域としてＲＯＭ１１に記憶されたプログラムを実行し、不揮発性ＲＡＭ１３に各種の処理に必要なデータを記憶し、そのデータを読み出して利用し、Ｉ／Ｏ制御部１４を介して制御部２の外の各部間とデータのやり取りを行って画像形成装置１の全体の制御を司る。
【００１９】
制御部２の実行する制御には、画像形成部３の各部の制御、操作表示部４への表示制御、通信制御部５を用いた各種通信の制御、Ｉ／Ｏ制御部１４から受け取った温度検出部１９の温度情報に基づく定着部２０の温度調整の制御、画像形成装置１の消費電力量の予測値を求める制御、その予測値を通知する制御を含む。
そして、ＣＰＵ１０は、予測値算出手段、係数算出手段、立上げ予測時間算出手段、立上げ時間計測手段、及び更新手段の各機能を果たす。
また、不揮発性ＲＡＭ１３は、記憶手段、消費電力記憶手段の機能を果たす。
【００２０】
この画像形成装置１は、消費電力量に係る基本処理として、ＣＰＵ１０が、指定された印刷条件及び印刷枚数で印刷を行った場合の消費電力量の予測値Ｐを、不揮発性ＲＡＭ１３に予め記憶した印刷条件毎の印刷枚数ＮＰ及びｎ個の所定係数ｘ１〜ｘｎと式１の消費電力量算出式に基づく演算処理によって算出する。
〔式１〕Ｐ＝ｘ１Ｆ１（Ｎｐ）＋ｘ２Ｆ２（Ｎｐ）＋…＋ｘｎ−１Ｆｎ−１（Ｎｐ）＋ｘｎＦｎ（Ｎｐ）
（ｎは１以上の整数、Ｆ１（Ｎｐ）〜Ｆｎ（Ｎｐ）はＮｐを変数とするそれぞれ異なる関数）
【００２１】
また、操作表示部４から印刷条件と印刷枚数を受け付けると、その受け付けた印刷条件と印刷枚数と式１に基づく演算処理によって上記印刷条件と印刷枚数で印刷した場合の消費電力量の予測値Ｐを算出し、その算出した消費電力量の予測値Ｐを操作表示部４に表示、又は通信制御部５によって予め指定されたホストコンピュータに通知する。
さらに、この画像形成装置１は、ＣＰＵ１０の制御により、ＡＣ消費電力量計測部１７とＤＣ消費電力量計測部１８によって印刷動作中の消費電力量Ｐ′を計測し、不揮発性ＲＡＭ１３に印刷条件と印刷枚数Ｎｐと、その印刷動作中に計測した消費電力量Ｐ′を対応させて蓄積する。
【００２２】
そして、ＣＰＵ１０は、不揮発性ＲＡＭ１３に蓄積された印刷条件毎の印刷枚数Ｎｐと消費電力量Ｐ′との組がｎ個になった場合、当該印刷条件のｎ個の組の印刷枚数Ｎｐと消費電力量Ｐ′を式１のＮｐとＰにそれぞれ代入して得られる式２からｎ個の所定係数ｘ′１〜ｘ′ｎ（このｘ′１〜ｘ′ｎはそれぞれ式１のｘ１〜ｘｎにそれぞれ対応する位置の値）を算出し、不揮発性ＲＡＭ１３の所定係数ｘｎを所定係数ｘ′ｎに更新する。
〔式２〕Ｐ′＝ｘ′１Ｆ１（Ｎｐ）＋ｘ′２Ｆ２（Ｎｐ）＋…＋ｘ′ｎ−１Ｆｎ−１（Ｎｐ）＋ｘ′ｎＦｎ（Ｎｐ）
（ｎは１以上の整数、Ｆ１（Ｎｐ）〜Ｆｎ（Ｎｐ）はＮｐを変数とするそれぞれ異なる関数）
【００２３】
次に、この実施形態の画像形成装置１が印刷時に消費電力量の予測値を通知する処理について説明する。
図２は、図１の画像形成装置１が印刷時に消費電力量の予測値を通知する処理を示すフローチャート図である。
この処理では、使用者が設定した印刷条件で印刷した場合の画像形成装置１の消費電力量の予測値を求めて通知する。
【００２４】
画像形成装置１の使用者は、印刷を実行するために画像形成装置１の制御部２が提供する印刷実行用アプリケーションプログラムを起動し、印刷用プロパティで印刷条件を設定する。
この印刷条件には、例えば、モノクロ印刷指定、カラー印刷指定、印刷用紙サイズ種類、印刷用紙厚さ設定情報、印刷の階調設定情報（ディザリングの種類、例えば、ランダムディザ、パターンディザ）、印刷速度設定情報、印刷に使用する用紙が蓄積されている給紙トレイの場所情報などがある。
【００２５】
図１の制御部２のＣＰＵ１０は、図２のステップ（図中「Ｓ」で示す）１〜６の処理を実行する。
ステップ１では、使用者の操作による印刷条件の設定を受け付け、ステップ２では、設定された印刷条件で印刷した場合の画像形成装置１の消費電力量の予測値を算出し、ステップ３では、消費電力量の予測値を通知する。
この通知では、操作表示部４の表示部への表示、又は通信制御部５を介して通信網上の所定の宛先の外部装置へ出力がある。
【００２６】
上記所定の宛先の外部装置とは、例えば、画像形成装置１に印刷要求をした情報処理装置（ＰＣ）である。
ステップ４では、印刷条件の変更があったか否かを判断し、印刷条件の変更が無かった場合（Ｎの場合）はステップ５へ進み、印刷条件の変更があった場合（Ｙの場合）はステップ２へ戻って上述の処理を行い、変更された内容の印刷条件に基いて消費電力量の予測値を算出し直し、その予測値を通知する処理を実行する。
【００２７】
ステップ５では、使用者の操作による印刷実行要求があったか否かを判断し、印刷実行要求が無かった場合（Ｎの場合）はステップ４へ戻り、印刷実行要求があった場合（Ｙの場合）はステップ６へ進む。
ステップ６では、図１の画像形成部３を制御して印刷処理を実行し、この処理を終了する。
すなわち、使用者が印刷条件を変更せずに印刷実行要求を指示すると、その印刷条件で印刷が実行される。
【００２８】
また、使用者が設定した印刷条件で印刷した場合の画像形成装置１の消費電力量の予測値の通知完了後に、使用者が印刷条件を変更（再設定）した場合、その変更された印刷条件で印刷した場合の画像形成装置１の消費電力量の予測値を再算出して通知する。
そして、使用者が印刷実行要求を指示すると、その変更された印刷条件で印刷が実行される。
なお、この処理では、使用者による印刷時に消費電力量の予測値を通知する場合を示したが、必ずしも印刷を伴わなくても消費電力量の予測値を通知するようにしてもよい。
このようにすれば、例えば、使用者が印刷条件と印刷枚数を仮に指定して、その指定した内容で印刷した場合の消費電力量の予測値を知りたいときに通知することができる。
【００２９】
次に、上記ステップ２の消費電力量の予測値の算出処理について説明する。
画像形成装置１の消費電力量の予測値は、上記式１及び式２に示した消費電力算出式に基づく演算処理で算出できるが、その印刷枚数Ｎｐを変数とするそれぞれ異なる関数のＦ１（Ｎｐ）、Ｆ２（Ｎｐ）、…、Ｆｎ−１（Ｎｐ）、Ｆｎ（Ｎｐ）の一例として、Ｆ１（Ｎｐ）＝Ｎｐｎ、Ｆ２（Ｎｐ）＝Ｎｐ（ｎ−１）、…、Ｆｎ−１（Ｎｐ）＝Ｎｐ、Ｆｎ（Ｎｐ）＝１にした場合を説明する。
また、画像形成装置１で使用される電力には交流電力と直流電力があるので、その各消費電力量の予測値を合算して画像形成装置１の消費電力量の予測値を求める場合の処理を説明する。
【００３０】
画像形成装置１の消費電力量の予測値をＰ、画像形成装置１のＡＣ消費電力量（「印刷した場合の交流消費電力量の予測値」に相当する）をＰＡＣ、画像形成装置１のＤＣ消費電力量（「印刷した場合の直流消費電力量の予測値」に相当する）をＰＤＣとすると、次の式３に基づく演算処理で求めることができる。
〔式３〕Ｐ＝ＰＡＣ＋ＰＤＣ
【００３１】
さらに、印刷枚数をＮｐとして、画像形成装置１のＡＣ消費電力量ＰＡＣは、次の式４の交流消費電力算出式に基づく演算処理で求めることができる。
〔式４〕ＰＡＣ＝ａ１Ｇ１（Ｎｐ）＋ａ２Ｇ２（Ｎｐ）＋…＋ａｎ−１Ｇｎ−１（Ｎｐ）＋ａｎＧｎ（Ｎｐ）
（ｎは１以上の整数、Ｇ１（Ｎｐ）〜Ｇｎ（Ｎｐ）はＮｐを変数とするそれぞれ異なる関数）
ここで、Ｇ１（Ｎｐ）、Ｇ２（Ｎｐ）、…、Ｇｎ−１（Ｎｐ）、Ｇｎ（Ｎｐ）の一例として、Ｇ１（Ｎｐ）＝Ｎｐｎ、Ｇ２（Ｎｐ）＝Ｎｐ（ｎ−１）、…、Ｇｎ−１（Ｎｐ）＝Ｎｐ、Ｇｎ（Ｎｐ）＝１にした場合、次の式５の交流消費電力算出式に基づく演算処理で画像形成装置１のＡＣ消費電力量ＰＡＣを求めることができる。
【００３２】
〔式５〕ＰＡＣ＝ａ１Ｎｐｎ＋ａ２Ｎｐ（ｎ−１）＋…＋ａｎ−１Ｎｐ＋ａｎ
（ｎは１以上の整数）
また、印刷枚数をＮｐとして、画像形成装置１のＤＣ消費電力量ＰＤＣは、次の式６に基づく演算処理で求めることができる。
〔式６〕ＰＤＣ＝ｂ１Ｈ１（Ｎｐ）＋ｂ２Ｈ２（Ｎｐ）＋…＋ｂｎ−１Ｈｎ−１（Ｎｐ）＋ｂｎＨｎ（Ｎｐ）
（ｎは１以上の整数、Ｈ１（Ｎｐ）〜Ｈｎ（Ｎｐ）はＮｐを変数とするそれぞれ異なる関数）
【００３３】
ここで、Ｈ１（Ｎｐ）、Ｈ２（Ｎｐ）、…、Ｈｎ−１（Ｎｐ）、Ｈｎ（Ｎｐ）の一例として、Ｈ１（Ｎｐ）＝Ｎｐｎ、Ｈ２（Ｎｐ）＝Ｎｐ（ｎ−１）、…、Ｈｎ−１（Ｎｐ）＝Ｎｐ、Ｈｎ（Ｎｐ）＝１にした場合、次の式７の直流消費電力算出式に基づく演算処理で画像形成装置１のＤＣ消費電力量ＰＤＣを求めることができる。
〔式７〕ＰＤＣ＝ｂ１Ｎｐｎ＋ｂ２Ｎｐ（ｎ−１）＋…＋ｂｎ−１Ｎｐ＋ｂｎ
（ｎは１以上の整数）
【００３４】
上記式４及び式６は、画像形成装置１において印刷条件毎に印刷枚数を異ならせて印刷実験をし、その各消費電力量の実測値の分布を示す曲線から導き出した演算式である。
このようにして、実施形態の画像形成装置１は、印刷前にユーザに消費電力量通知を実施する際、画像形成装置１の状態の変化（定着装置の温度、経年変化に伴う駆動部品の劣化等の変化）に対して、精度良く消費電力量を通知することができる。
また、例えば、使用者によって印刷前に指定された印刷条件毎に対応する演算式の演算処理で消費電力量の予測値を算出するので、その予測値を精度良く求めることができる。
【００３５】
上記『ａ１，…，ａｎ−１，ａｎ』と『ｂ１，…，ｂｎ−１，ｂｎ』の各ｎ個の所定係数は、図３の（ａ）と（ｂ）にそれぞれ示すように印刷条件毎に異なった値になる。
画像形成装置１の不揮発性ＲＡＭ１３には、予め上記式３、式４、及び式６の各演算手順の情報（又は上記式３、式５、及び式７の各演算手順の情報）と、印刷条件毎の『ａ１，…，ａｎ−１，ａｎ』と『ｂ１，…，ｂｎ−１，ｂｎ』の各ｎ個の所定係数を保存するようにし、画像形成装置１の消費電力量の予測値Ｐは、ＣＰＵ１０が不揮発性ＲＡＭ１３の各情報を用いて算出する。
【００３６】
図３の（ａ）は、印刷条件毎のｎ個の所定係数ａ１，…，ａｎ−１，ａｎの各値の一例を示している。
図３の（ｂ）は、印刷条件毎のｎ個の所定係数ｂ１，…，ｂｎ−１，ｂｎの各値の一例を示している。
この印刷条件には、例えば、印刷用紙サイズ種類、印刷用紙厚さ設定情報、印刷の階調設定情報（ディザリングの種類、例えば、ランダムディザ、パターンディザ）、印刷速度設定情報、印刷に使用する用紙が蓄積されている給紙トレイの場所情報などがある。
また、モノクロ印刷指定とカラー印刷指定の場合は２種類になる。
【００３７】
なお、上述の処理では、画像形成装置１の使用者が印刷条件の設定や印刷実行要求を実施したり、画像形成装置１の使用者へ印刷条件に応じた消費電力量の予測値を通知したりするアプリケーションプログラムは、画像形成装置１のＲＯＭ１１、又は図示を省略した記憶装置に記憶した場合を説明したが、このアプリケーションプログラムを、画像形成装置１に通信網を介して接続された又は直接に接続されたホストＰＣから提供するようにしても良い。
【００３８】
次に、この実施形態の画像形成装置１が印刷の消費電力量の予測値を算出する際に用いる係数を更新する処理について説明する。
図４は、図１の画像形成装置１が印刷の消費電力量の予測値を算出する際に用いる係数を更新する処理のフローチャート図である。
この処理は、図２のフローチャート図で説明した演算式の各係数を更新する。
図１の制御部２のＣＰＵ１０は、図４のステップ（図中「Ｓ」で示す）１１〜１９の処理を実行する。
ステップ１１では、印刷実行要求に基いて印刷条件に応じた印刷処理を実行し、ステップ１２へ進む。
【００３９】
印刷処理の実行中は、図１のＡＣ消費電力量計測部１７は印刷実行において画像形成装置１が消費する『ＡＣ消費電力量（「印刷動作中に計測された交流電流の消費電力量」に相当する）Ｐ′ＡＣ』を、ＤＣ消費電力量計測部１８は印刷実行において画像形成装置１が消費する『ＤＣ消費電力量（「印刷動作中に計測された直流電流の消費電力量」に相当する）Ｐ′ＤＣ』をそれぞれ計測し、それぞれＩ／Ｏ制御部１４へ出力する。
ステップ１２では、図１のＡＣ消費電力量計測部１７とＤＣ消費電力量計測部１８でそれぞれ計測されたＡＣ消費電力量とＤＣ消費電力量を取得し、ステップ１３へ進む。
ステップ１３では、印刷終了後、印刷実行中にジャム等による印刷中断が発生したか否かを判断する。
【００４０】
印刷実行中にジャム等による印刷中断が発生しなかった場合（ステップ１３でＮの場合）、ステップ１４で計測回数ｍ（ｍは１以上の整数）をカウントし、ステップ１５へ進む。
ステップ１５では、『今回実行した印刷条件』、『今回実行した印刷条件におけるＡＣ消費電力量とＤＣ消費電力量を計測した計測回数』、『ＡＣ消費電力量』、『ＤＣ消費電力量』、及び『印刷枚数』の各情報を対応させて図１の不揮発性ＲＡＭ１３に記憶し、ステップ１６へ進む。
一方、印刷終了後、印刷実行中にジャム等による印刷中断が発生した場合（ステップ１３でＹの場合）、処理を終了する。
【００４１】
ステップ１６では、今回の印刷条件で印刷した計測回数はｍ回か否かを判断する。
今回の印刷条件で印刷した計測回数はｍ回ではない場合（ステップ１６のＮの場合）、すなわち、ｍ回未満である場合は、処理を終了する。
ここで、ｍの値は式４〜式７のｎの値と等しい。
上記ｍの値は、例えば、予め不揮発性ＲＡＭ１３に記憶し、ＣＰＵ１０が参照するようにすると良い。
【００４２】
また、ＣＰＵ１０は、操作表示部４からの使用者による変更操作によりｍの値を他の値に変更することもできる。
一方、今回の印刷条件で印刷した計測回数はｍ回の場合（ステップ１６でＹの場合）、、ステップ１７へ進む。
ステップ１７では、今回の印刷条件について、ｍ回分の印刷枚数とそれぞれ計測された消費電力量に基いて各所定係数を算出し、ステップ１８へ進む。
【００４３】
ステップ１７の処理では、図２の処理に合わせて、演算式中の印刷枚数Ｎｐを変数とするそれぞれ異なる関数のＧ１（Ｎｐ）、Ｇ２（Ｎｐ）、…、Ｇｎ−１（Ｎｐ）、Ｇｎ（Ｎｐ）と、Ｈ１（Ｎｐ）、Ｈ２（Ｎｐ）、…、Ｈｎ−１（Ｎｐ）、Ｈｎ（Ｎｐ）の一例として、Ｇ１（Ｎｐ）＝Ｈ１（Ｎｐ）＝Ｎｐｎ、Ｇ２（Ｎｐ）＝Ｈ２（Ｎｐ）＝Ｎｐ（ｎ−１）、…、Ｇｎ−１（Ｎｐ）＝Ｈｎ−１（Ｎｐ）＝Ｎｐ、Ｇｎ（Ｎｐ）＝Ｈｎ（Ｎｐ）＝１にした場合を説明する。
【００４４】
不揮発性ＲＡＭ１３に保存されたｍ（＝ｎ）回分の今回実行した印刷条件における『ＡＣ消費電力量Ｐ′ＡＣ』と『印刷枚数Ｎｐ』（すなわち、ｎ組のＡＣ消費電力量Ｐ′ＡＣと印刷枚数Ｎｐ）を用いて、式８の交流消費電力算出式に基づく演算手順によってｎ個の所定係数『ａ′１，…，ａ′ｎ−１，ａ′ｎ』の各値をそれぞれ算出する。
〔式８〕Ｐ′ＡＣ＝ａ′１Ｎｐｎ＋ａ′２Ｎｐ（ｎ−１）＋…＋ａ′ｎ−１Ｎｐ＋ａ′ｎ
（ｎは１以上の整数）
この演算処理では、不揮発性ＲＡＭ１３に蓄積された該当する印刷条件に対応する『ＡＣ消費電力量Ｐ′ＡＣ』と『印刷枚数Ｎｐ』のｎ組の値をそれぞれ式８に代入して得られた連立方程式を解くことによってｎ個の所定係数『ａ′１，…，ａ′ｎ−１，ａ′ｎ』の各値をそれぞれ算出する。
その算出処理のアルゴリズムは、公知技術を用いると良い。
【００４５】
次に、上記『ａ′１，…，ａ′ｎ−１，ａ′ｎ』の各値の算出例を説明する。
例えば、不揮発性ＲＡＭ１３に保存された該当する印刷条件に対応してそれぞれ計測された４回分のＡＣ消費電力量Ｐ′ＡＣとその各ＡＣ消費電力計測時の印刷枚数Ｎｐと、それぞれに設定されたＧ１（Ｎｐ）〜Ｇ４（Ｎｐ）の関数が次の（１）〜（４）である場合を説明する。
【００４６】
（１）計測回数ｎ＝１のとき、計測されたＡＣ消費電力量Ｐ′ＡＣ＝１００、印刷枚数Ｎｐ＝５、Ｇ１（Ｎｐ）＝５３，Ｇ２（Ｎｐ）＝５２，Ｇ３（Ｎｐ）＝５１，Ｇ４（Ｎｐ）＝５０＝１
（２）計測回数ｎ＝２のとき、計測されたＡＣ消費電力量Ｐ′ＡＣ＝８８、印刷枚数Ｎｐ＝３、Ｇ１（Ｎｐ）＝３３，Ｇ２（Ｎｐ）＝３２，Ｇ３（Ｎｐ）＝３１，Ｇ４（Ｎｐ）＝３０＝１
（３）計測回数ｎ＝３のとき、計測されたＡＣ消費電力量Ｐ′ＡＣ＝１２０、印刷枚数Ｎｐ＝６、Ｇ１（Ｎｐ）＝６３，Ｇ２（Ｎｐ）＝６２，Ｇ３（Ｎｐ）＝６１，Ｇ４（Ｎｐ）＝６０＝１
（４）計測回数ｎ＝４のとき、計測されたＡＣ消費電力量Ｐ′ＡＣ＝１１０、印刷枚数Ｎｐ＝５、Ｇ１（Ｎｐ）＝５３，Ｇ２（Ｎｐ）＝５２，Ｇ３（Ｎｐ）＝５１，Ｇ４（Ｎｐ）＝５０＝１
【００４７】
上記（１）の各値を式８に代入すると次式が得られる。
１００＝ａ′１×５３＋ａ′２×５２＋ａ′３×５１＋ａ′４
また、上記（２）の各値を式８に代入すると次式が得られる。
８８＝ａ′１×３３＋ａ′２×３２＋ａ′３×３１＋ａ′４
さらに、上記（３）の各値を式８に代入すると次式が得られる。
１２０＝ａ′１×６３＋ａ′２×６２＋ａ′３×６１＋ａ′４
さらにまた、上記（４）の各値を式８に代入すると次式が得られる。
１１０＝ａ′１×５３＋ａ′２×５２＋ａ′３×５１＋ａ′４
が求まる。
【００４８】
そして、上記４式の連立方程式を解くことによって４個の所定係数『ａ′１，ａ′２，ａ′３，ａ′４』の各値をそれぞれ算出する。
なお、不揮発性ＲＡＭ１３に保存された複数の計測結果について、それぞれの印刷枚数が等しくＡＣ消費電力量が異なっていてもよい。
それは、画像形成装置の使用時間経過により、印刷枚数、印刷条件が同じであってもＡＣ消費電力量が異なることを考慮して、ｎ回計測（印刷実行）毎に係数を算出するためである。
このように、印刷枚数、印刷条件が同じでもＡＣ消費電力量が異なる場合も含めて全ての計測データを用いて所定係数『ａ′１，…，ａ′ｎ−１，ａ′ｎ』の各値を算出する。
これについては、上述した所定係数『ｘ１，…，ｘｎ−１，ｘｎ』、『ａ１，…，ａｎ−１，ａｎ』、『ｂ１，…，ｂｎ−１，ｂｎ』、『ｂ′１，…，ｂ′ｎ−１，ｂ′ｎ』についても同様である。また、後述する各所定係数についても同様である。
【００４９】
また、不揮発性ＲＡＭ１３に保存されたｍ（＝ｎ）回分の今回実行した印刷条件における『ＤＣ消費電力量Ｐ′ＤＣ』と『印刷枚数Ｎｐ』（すなわち、ｎ組のＤＣ消費電力量Ｐ′ＤＣと印刷枚数Ｎｐ）を用いて、式９の直流消費電力算出式に基づく演算手順によってｎ個の所定係数『ｂ′１，…，ｂ′ｎ−１，ｂ′ｎ』の各値をそれぞれ算出する。
〔式９〕Ｐ′ＤＣ＝ｂ′１Ｎｐｎ＋ｂ′２Ｎｐ（ｎ−１）＋…＋ｂ′ｎ−１Ｎｐ＋ｂ′ｎ
（ｎは１以上の整数）
【００５０】
この演算処理も、上述したｎ個の所定係数『ａ′１，…，ａ′ｎ−１，ａ′ｎ』の各値を求めた場合と同様にして、不揮発性ＲＡＭ１３に蓄積された該当する印刷条件に対応する『ＤＣ消費電力量Ｐ′ＤＣ』と『印刷枚数Ｎｐ』の各組の値をそれぞれ式９に代入して得られた連立方程式を解くことによってｎ個の所定係数『ｂ′１，…，ｂ′ｎ−１，ｂ′ｎ』の各値をそれぞれ算出する。
その算出処理のアルゴリズムも、上述と同様に公知技術を用いると良い。
ステップ１８では、今回の印刷条件について、交流消費電力算出式と直流消費電力算出式の各演算式に適用する各所定係数の値を更新し、ステップ１９へ進む。
【００５１】
ステップ１８の処理では、今回実行した印刷条件について、不揮発性ＲＡＭ１３に保存されている所定係数『ａ１，…，ａｎ−１，ａｎ』を上記算出した所定係数『ａ′１，…，ａ′ｎ−１，ａ′ｎ』に書き換えて更新する。
また、同じく今回実行した印刷条件について、不揮発性ＲＡＭ１３に保存されている所定係数『ｂ１，…，ｂｎ−１，ｂｎ』を上記算出した所定係数『ｂ′１，…，ｂ′ｎ−１，ｂ′ｎ』に書き換えて更新する。
【００５２】
ステップ１９では、不揮発性ＲＡＭ１３から各所定係数の算出に用いた情報を消去し、この処理を終了する。
ステップ１９の処理では、不揮発性ＲＡＭ１３に保存できる情報には限りがあるため、消費電力量の各係数の算出時に用いた情報を削除することにより、記憶領域を浪費しないようにしている。
【００５３】
このようにして、実施形態の画像形成装置１は、例えば、印刷前に使用者に通知する消費電力量の算出に用いる所定の係数を定期的に更新するので、画像形成装置１の状態の変化（定着装置の温度、経年変化に伴う駆動部品の劣化等の変化）に対して、精度良く消費電力量を通知することができる。
なお、上述の処理では、印刷枚数Ｎｐを変数とするそれぞれ異なる関数のＧ１（Ｎｐ）、Ｇ２（Ｎｐ）、…、Ｇｎ−１（Ｎｐ）、Ｇｎ（Ｎｐ）とＨ１（Ｎｐ）、Ｈ２（Ｎｐ）、…、Ｈｎ−１（Ｎｐ）、Ｈｎ（Ｎｐ）の一例として、Ｇ１（Ｎｐ）＝Ｈ１（Ｎｐ）＝Ｎｐｎ、Ｇ２（Ｎｐ）＝Ｈ２（Ｎｐ）＝Ｎｐ（ｎ−１）、…、Ｇｎ（Ｎｐ）＝Ｈｐ（Ｎｐ）＝１にした場合を説明したが、その他の関数をそれぞれ用いるようにしてもよい。
また、画像形成装置１の消費電力量の予測値を、交流も直流も分けずに求めてもよい。
【００５４】
次に、この実施形態の画像形成装置１における印刷による消費電力量の予測値を通知する他の処理例について説明する。
この処理例では、画像形成装置１における印刷による消費電力量の予測値を算出する際、定着部２０の立上げ時間に要する消費電力量を個別に算出し、その他の消費電力量に加算して求めている。
このように、消費電力量の多い定着部２０の消費電力量の予測値を個別に計算することにより、予測値の精度をより高めることができる。
【００５５】
図５は、図１の画像形成装置１が印刷時に消費電力量の予測値を通知する他の処理例を示すフローチャート図である。
この処理も、図２のフローチャート図で説明した処理と同様に、使用者が設定した印刷条件で印刷した場合の画像形成装置１の消費電力量の予測値を求めて通知するが、その予測値の演算の際に画像形成装置１の現在の状態情報を含めている。
この状態情報には、予測値の演算時に測定された定着部２０の温度情報が含まれる。
【００５６】
画像形成装置１の使用者は、印刷を実行するために画像形成装置１の制御部２が提供する印刷実行用アプリケーションプログラムを起動し、印刷用プロパティで印刷条件を設定する。
この印刷条件には、例えば、モノクロ印刷指定、カラー印刷指定、印刷用紙サイズ種類、印刷用紙厚さ設定情報、印刷の階調設定情報（ディザリングの種類、例えば、ランダムディザ、パターンディザ）、印刷速度設定情報、印刷に使用する用紙が蓄積されている給紙トレイの場所情報などがある。
【００５７】
図１の制御部２のＣＰＵ１０は、図５のステップ（図中「Ｓ」で示す）２１〜２８の処理を実行する。
ステップ２１では、使用者の操作による印刷条件の設定を受け付け、ステップ２２では、画像形成装置１の現在の状態情報を取得し、ステップ２３では、設定された印刷条件と画像形成装置１の現在の状態で印刷した場合の消費電力量の予測値を算出し、ステップ２４では、消費電力量の予測値を通知し、ステップ２５へ進む。
この通知では、操作表示部４の表示部への表示、又は通信制御部５を介して通信網上の所定の宛先の外部装置へ出力がある。
【００５８】
上記所定の宛先の外部装置とは、例えば、画像形成装置１に印刷要求をした情報処理装置（ＰＣ）である。
ステップ２５では、印刷条件の変更があったか否かを判断し、印刷条件の変更が無かった場合（Ｎの場合）はステップ２６へ進み、印刷条件の変更があった場合（Ｙの場合）はステップ２２へ戻って上述の処理を行い、変更された内容の印刷条件とその時点の定着部２０の温度情報に基いて消費電力量の予測値を算出し直し、その予測値を通知する処理を実行する。
【００５９】
ステップ２６では、消費電力量の予測値を通知してから所定時間が経過したか否かを判断し、所定時間が経過していない場合（Ｎの場合）はステップ２７へ進み、所定時間が経過した場合（Ｙの場合）はステップ２２へ戻って上述の処理を行い、定着部２０の温度情報を取得し直して印刷条件とその温度情報に基いて消費電力量の予測値を算出し直し、その予測値を通知する処理を実行する。
上記所定時間は、予め設定された一定時間であり、使用者が任意の変更することができる。
【００６０】
ステップ２７では、使用者の操作による印刷実行要求があったか否かを判断し、印刷実行要求が無かった場合（Ｎの場合）はステップ２５へ戻り、印刷実行要求があった場合（Ｙの場合）はステップ２８へ進む。
ステップ２８では、図１の画像形成部３を制御して印刷処理を実行し、この処理を終了する。
【００６１】
すなわち、この処理では、消費電力量の予測値の算出に画像形成装置１の状態情報を含めるようにし、画像形成装置１の状態に応じた消費電力量の予測値を通知している。
また、画像形成装置１の使用者が印刷条件の変更を行った場合、又は所定時間を経過しても印刷実行要求がない場合、消費電力量の予測値を算出し直して更新する。
そして、使用者が印刷実行要求を指示すると、その変更された印刷条件で印刷が実行される。
【００６２】
このようにして、実施形態の画像形成装置１は、印刷前にユーザに消費電力量通知を実施する際、画像形成装置１の状態の変化（定着装置の温度、経年変化に伴う駆動部品の劣化等の変化）に対して、精度良く消費電力量を通知することができる。
また、印刷前に設定された印刷条件毎に対応する演算式の演算処理で消費電力量の予測値を算出するので、その予測値を精度良く求めることができる。
【００６３】
次に、上記ステップ２３の消費電力量の予測値の算出処理について説明する。
この算出処理では、画像形成装置１の状態情報として、温度検出部１９から取得する定着部２０の温度情報を用いた場合を説明する。
画像形成装置１の消費電力量の予測値をＰ、画像形成装置１の定着部２０が定着可能温度に達するまでの時間（以下、「定着部立上げ時間」という）に消費するＡＣ消費電力量をＰＳＡＣ、定着部立上げ時間に消費するＤＣ消費電力量をＰＳＤＣ、画像形成装置１の印刷実行時に消費するＡＣ消費電力量をＰＰＡＣ、画像形成装置１の印刷実行時に消費するＤＣ消費電力量をＰＰＤＣとすると、次の式９の演算処理で求めることができる。
〔式９〕Ｐ＝ＰＳＡＣ＋ＰＳＤＣ＋ＰＰＡＣ＋ＰＰＤＣ
【００６４】
また、画像形成装置１の定着部２０が定着部立上げ時間に消費するＡＣ消費電力量ＰＳＡＣとＤＣ消費電力量をＰＳＤＣの各予測値を求めるには、定着部立上げ時間を予測しなければならない。
この定着部立上げ時間の予測値ｔは、温度Ｔに基いて次の式１０の立上げ時間算出式で求めることができる。
【００６５】
〔式１０〕ｔ＝ｃ１Ｉ１（Ｔ）＋ｃ２Ｉ２（Ｔ）＋…＋ｃｎ−１Ｉｎ−１（Ｔ）＋ｃｎＩｎ（Ｔ）
（ｎは１以上の整数、Ｉ１（Ｔ）〜Ｉｎ（Ｔ）はＴを変数とするそれぞれ異なる関数）
ここでは、上記式１０に示した演算式の温度Ｔを変数とするそれぞれ異なる関数のＩ１（Ｔ）、Ｉ２（Ｔ）、…、Ｉｎ−１（Ｔ）の一例として、Ｉ１（Ｔ）＝Ｔｎ、Ｉ１（Ｔ）＝Ｔ（ｎ−１）、…、Ｉｎ−１（Ｔ）＝Ｔ、Ｉｎ（Ｎｐ）＝１にした場合を説明する。
【００６６】
定着部立上げ時間の予測値ｔは、定着部２０の温度をＴ（このＴは温度検出部１９が出力する温度情報に相当する）、定着部立上げ時間をｔとして、次の式１１の立上げ時間算出式に基づく演算処理で求めることができる。
〔式１１〕ｔ＝ｃ１Ｔｎ＋ｃ２Ｔ（ｎ−１）＋…＋ｃｎ−１Ｔ＋ｃｎ
（ｎは１以上の整数）
【００６７】
次に、定着部立上げ時間に消費するＡＣ消費電力量ＰＳＡＣとＤＣ消費電力量ＰＳＤＣは、定着部立上げ時間の予測値ｔに基いてそれぞれ次の式１２の立上げ時交流消費電力算出式と式１３の立上げ時直流消費電力算出式で求めることができる。
〔式１２〕ＰＳＡＣ＝ｄ１Ｊ１（ｔ）＋ｄ２Ｊ２（ｔ）＋…＋ｄｎ−１Ｊｎ−１（ｔ）＋ｄｎＪｎ（ｔ）
（ｎは１以上の整数、Ｊ１（ｔ）〜Ｊｎ（ｔ）はｔを変数とするそれぞれ異なる関数）
【００６８】
〔式１３〕ＰＳＤＣ＝ｅ１Ｋ１（ｔ）＋ｅ２Ｋ２（ｔ）＋…＋ｅｎ−１Ｋｎ−１（ｔ）＋ｅｎＫｎ（ｔ）
（ｎは１以上の整数、Ｋｎ（ｔ）〜Ｋｎ（ｔ）はｔを変数とするそれぞれ異なる関数）
ここでは、上記定着部立上げ時間の予測値ｔを変数とするそれぞれ異なる関数のＪ１（ｔ）、Ｊ２（ｔ）、…、Ｊｎ−１（ｔ）、Ｊｎ（ｔ）とＫ１（ｔ）、Ｋ２（ｔ）、…、Ｋｎ−１（ｔ）、Ｋｎ（ｔ）の一例として、Ｊ１（ｔ）＝Ｋ１（ｔ）＝ｔｎ、Ｊ２（ｔ）＝Ｋ２（ｔ）＝ｔ（ｎ−１）、…、Ｊｎ−１（ｔ）＝Ｋｎ−１（ｔ）＝ｔ、Ｊｎ（ｔ）＝Ｋｎ（ｔ）＝１にした場合を説明する。
【００６９】
定着部立上げ時間に消費するＡＣ消費電力量ＰＳＡＣは、定着部立上げ時間ｔを用いて、次の式１４の立上げ時交流消費電力算出式に基づく演算処理で求めることができる。
〔式１４〕ＰＳＡＣ＝ｄ１ｔｎ＋ｄ２ｔ（ｎ−１）＋…＋ｄｎ−１ｔ＋ｄｎ
（ｎは１以上の整数）
また、定着部立上げ時間に消費するＤＣ消費電力量ＰＳＤＣは、定着部立上げ時間ｔを用いて、次の式１５の立上げ時直流消費電力算出式に基づく演算処理で求めることができる。
〔式１５〕ＰＳＤＣ＝ｅ１ｔｎ＋ｅ２ｔ（ｎ−１）＋…＋ｅｎ−１ｔ＋ｅｎ
（ｎは１以上の整数）
【００７０】
次に、画像形成装置１の印刷実行時に消費するＡＣ消費電力量ＰＰＡＣとＤＣ消費電力量ＰＰＤＣは、印刷枚数Ｎｐに基いてそれぞれ次の式１６の交流消費電力算出式と式１７の直流消費電力算出式で求めることができる。
〔式１６〕ＰＰＡＣ＝ｆ１Ｌ１（Ｎｐ）＋ｆ２Ｌ２（Ｎｐ）＋…＋ｆｎ−１Ｌｎ−１（Ｎｐ）＋ｆｎＬｎ（Ｎｐ）
（ｎは１以上の整数、Ｌ１（Ｎｐ）〜Ｌｎ（Ｎｐ）はＮｐを変数とするそれぞれ異なる関数）
【００７１】
〔式１７〕ＰＰＤＣ＝ｇ１Ｍ１（Ｎｐ）＋ｇ２ｆ２（Ｎｐ）＋…＋ｇｎ−１ｆｎ−１（Ｎｐ）＋ｆｎｆｎ（Ｎｐ）
（ｎは１以上の整数、Ｍ１（Ｎｐ）〜Ｍｎ（Ｎｐ）はＮｐを変数とするそれぞれ異なる関数）
ここでも、上記印刷枚数Ｎｐを変数とするそれぞれ異なる関数のＬ１（Ｎｐ）、Ｌ２（Ｎｐ）、…、Ｌｎ−１（Ｎｐ）、Ｌｎ（Ｎｐ）とＭ１（Ｎｐ）、Ｍ２（Ｎｐ）、…、Ｍｎ−１（Ｎｐ）、Ｍｎ（Ｎｐ）の一例として、Ｌ１（Ｎｐ）＝Ｍ１（Ｎｐ）＝Ｎｐｎ、Ｌ２（Ｎｐ）＝Ｍ２（Ｎｐ）＝Ｎｐ（ｎ−１）、…、Ｌｎ−１（Ｎｐ）＝Ｍｎ−１（Ｎｐ）＝Ｎｐ、Ｌｎ（Ｎｐ）＝Ｍｎ（Ｎｐ）＝１にした場合を説明する。
【００７２】
画像形成装置１の印刷実行時に消費するＡＣ消費電力量ＰＰＡＣは、印刷枚数Ｎｐを用いて次の式１８の交流消費電力算出式に基づく演算処理で求めることができる。
〔式１８〕ＰＰＡＣ＝ｆ１Ｎｐｎ＋ｆ２Ｎｐ（ｎ−１）＋…＋ｆｎ−１Ｎｐ＋ｆｎ
（ｎは１以上の整数）
また、画像形成装置１の印刷実行時に消費するＤＣ消費電力量ＰＰＤＣは、印刷枚数Ｎｐを用いて次の式１９の直流消費電力算出式に基づく演算処理で求めることができる。
〔式１９〕ＰＰＤＣ＝ｇ１Ｎｐｎ＋ｇ２Ｎｐ（ｎ−１）＋…＋ｇｎ−１Ｎｐ＋ｇｎ
（ｎは１以上の整数）
【００７３】
なお、上記式１０、式１１は、画像形成装置１において定着温度を異ならせて印刷実験をし、そのときの定着部立上げ時間の実測値の分布を示す曲線から導き出した演算式である。
また、上記式１２〜式１５は、画像形成装置１において定着部立上げ時間を異ならせて印刷実験をし、その各消費電力量の実測値の分布を示す曲線から導き出した演算式である。
【００７４】
さらに、上記式１６〜式１９は、画像形成装置１において印刷条件毎に印刷枚数を異ならせて印刷実験をし、その各消費電力量の実測値の分布を示す曲線から導き出した演算式である。
また、所定係数の『ｃ１，…，ｃｎ−１，ｃｎ』、『ｄ１，…，ｄｎ−１，ｄｎ』、『ｅ１，…，ｅｎ−１，ｅｎ』、『ｆ１，…，ｆｎ−１，ｆｎ』、『ｇ１，…，ｇｎ−１，ｇｎ』の各値は、図６の（ａ）〜図６の（ｅ）に示すように印刷条件毎に異なった値になる。
【００７５】
画像形成装置１の不揮発性ＲＡＭ１３には、予め上記式１０〜式１９の各演算手順の情報と、印刷条件毎の所定係数『ｃ１，…，ｃｎ−１，ｃｎ』、『ｄ１，…，ｄｎ−１，ｄｎ』、『ｅ１，…，ｅｎ−１，ｅｎ』、『ｆ１，…，ｆｎ−１，ｆｎ』、『ｇ１，…，ｇｎ−１，ｇｎ』の各値を保存するようにし、画像形成装置１の消費電力量の予測値Ｐは、ＣＰＵ１０が不揮発性ＲＡＭ１３の各情報を用いて算出する。
【００７６】
図６の（ａ）は、印刷条件毎のｎ個の所定係数ｃ１，…，ｃｎ−１，ｃｎの各値の一例を示している。
また、図６の（ｂ）は、印刷条件毎のｎ個の所定係数ｄ１，…，ｄｎ−１，ｄｎの各値の一例を示している。
さらに、図６の（ｃ）は、印刷条件毎のｎ個の所定係数ｅ１，…，ｅｎ−１，ｅｎの各値の一例を示している。
また、図６の（ｄ）は、印刷条件毎のｎ個の所定係数ｆ１，…，ｆｎ−１，ｆｎの各値の一例を示している。
さらに、図６の（ｅ）は、印刷条件毎のｎ個の所定係数ｇ１，…，ｇｎ−１，ｇｎの各値の一例を示している。
【００７７】
この印刷条件には、例えば、印刷用紙サイズ種類、印刷用紙厚さ設定情報、印刷の階調設定情報（ディザリングの種類、例えば、ランダムディザ、パターンディザ）、印刷速度設定情報、印刷に使用する用紙が蓄積されている給紙トレイの場所情報などがある。
また、モノクロ印刷指定とカラー印刷指定の場合は２種類になる。
【００７８】
なお、上述の処理では、画像形成装置１の使用者が印刷条件の設定や印刷実行要求を実施したり、画像形成装置１の使用者へ印刷条件に応じた消費電力量の予測値を通知したりするアプリケーションプログラムは、画像形成装置１のＲＯＭ１１、又は図示を省略した記憶装置に記憶した場合を説明したが、このアプリケーションプログラムを、画像形成装置１に通信網を介して接続された又は直接に接続されたホストＰＣから提供するようにしても良い。
さらに、上述の処理では、画像形成装置１の現在の状態情報として、予測値の演算時に測定された定着部２０の温度情報を用いた場合を説明したが、他の状態情報を用いた場合でも上述と同様に実施することができる。
【００７９】
次に、この実施形態の画像形成装置１が印刷時に消費電力量の予測値を算出する際に用いる係数を更新する他の処理例について説明する。
図７は、図１の画像形成装置１が印刷時に消費電力量の予測値を算出する際に用いる係数を更新する他の処理例のフローチャート図である。
この処理は、図５のフローチャート図で説明した演算式の各係数を更新する。
ここでは、画像形成装置１の現在の状態情報として、図１の定着部２０の温度情報と、定着部立上げ情報を用いた場合の処理を説明する。
【００８０】
図１の制御部２のＣＰＵ１０は、印刷実行要求を受け付けると、図７のステップ（図中「Ｓ」で示す）３１〜４０の処理を実行する。
ステップ３１では、定着部２０の温度情報を取得し、ステップ３２へ進む。
このステップ３１の処理では、印刷実行直前の画像形成装置１の定着部２０の温度情報を温度検出部１９から取得する。
ステップ３２では、印刷実行要求に基いて印刷条件に応じた印刷処理を実行し、ステップ３３へ進む。
【００８１】
ステップ３３では、印刷動作実行中は、図１のＣＰＵ１０は、温度検出部１９からの温度情報を監視し、『定着部立上げ時間』を計測する。
また、印刷動作実行中は、図１のＡＣ消費電力量計測部１７は、ＣＰＵ１０からの計測時間の指示に基づいて画像形成装置１が印刷前に消費する『定着部立上げ時間中ＡＣ消費電力量』を計測し、同じくＤＣ消費電力量計測部１８は、ＣＰＵ１０からの計測時間の指示に基づいて画像形成装置１が印刷前に消費する『定着部立上げ時間中ＤＣ消費電力量』を計測し、それぞれＩ／Ｏ制御部１４へ出力する。
【００８２】
さらに、印刷動作実行中は、図１のＡＣ消費電力量計測部１７は印刷実行において画像形成装置１が消費する『ＡＣ消費電力量』を、ＤＣ消費電力量計測部１８は印刷実行において画像形成装置１が消費する『ＤＣ消費電力量』をそれぞれ計測し、それぞれＩ／Ｏ制御部１４へ出力する。
そして、ステップ３３では、上記定着部立上げ時間中ＡＣ消費電力量、定着部立上げ時間中ＤＣ消費電力量、印刷中のＡＣ消費電力量及びＤＣ消費電力量も取得して、ステップ３４へ進む。
【００８３】
ステップ３４では、印刷終了後、印刷実行中にジャム等による印刷中断が発生したか否かを判断する。
印刷実行中にジャム等による印刷中断が発生しなかった場合（ステップ３４でＮの場合）、ステップ３５で計測回数ｍをカウントし、ステップ３６へ進む。
【００８４】
ステップ３６では、『今回の印刷条件』、『印刷実行直前に取得した定着部２０の温度』、『今回の印刷条件における計測回数』、『今回計測した定着部立上げ時間』、『今回計測した定着部立上げ時間中のＡＣ消費電力量』、『今回計測した定着部立上げ時間中のＤＣ消費電力量』、『今回計測した印刷実行中のＡＣ消費電力量』、『今回計測した印刷実行中のＤＣ消費電力量』、及び『印刷枚数』の各情報を対応させて図１の不揮発性ＲＡＭ１３に記憶し、ステップ３７へ進む。
【００８５】
一方、印刷終了後、印刷実行中にジャム等による印刷中断が発生した場合（ステップ３４でＹの場合）、処理を終了する。
ステップ３７では、今回の印刷条件で印刷した計測回数はｍ回か否かを判断する。
今回の印刷条件で印刷した計測回数はｍ回ではない場合（ステップ３７のＮの場合）、すなわち、ｍ回未満である場合は、処理を終了する。
ここで、ｍの値は式１０〜式１９のｎの値と等しい。
【００８６】
一方、今回の印刷条件で印刷した計測回数はｍ回の場合（ステップ３７でＹの場合）、、ステップ３８へ進む。
ステップ３８では、今回の印刷条件について、ｍ回分の印刷枚数と、定着部２０の温度と、定着部立上げ時間、それぞれ計測された消費電力量に基いて各所定係数を算出し、ステップ３９へ進む。
【００８７】
このステップ３８の処理では、不揮発性ＲＡＭ１３に蓄積された情報と、図５のフローチャート図で説明した定着部立上げ時間の予測値ｔ、定着部立上げ時間に消費するＡＣ消費電力量ＰＳＡＣとＤＣ消費電力量ＰＳＤＣ、画像形成装置１の印刷実行時に消費するＡＣ消費電力量ＰＰＡＣとＤＣ消費電力量ＰＰＤＣの算出に用いた演算式と同様の演算式を用いて各演算式の係数を求める。
【００８８】
そこで、この処理でも、温度Ｔを変数とする各関数についてＩ１（Ｔ）＝Ｔｎ、Ｉ２（Ｔ）＝Ｔ（ｎ−１）、…、Ｉｎ−１（Ｔ）＝Ｔ、Ｉｎ（Ｔ）＝１にし、定着部立上げ時間ｔ′を変数とする各関数についてＪ１（ｔ）＝Ｋ１（ｔ）＝ｔｎ、Ｊ２（ｔ）＝Ｋ２（ｔ）＝ｔ（ｎ−１）、…、Ｊｎ−１（ｔ）＝Ｋｎ−１（ｔ）＝ｔ、Ｊｎ（ｔ）＝Ｋｎ（ｔ）＝１にし、印刷枚数Ｎｐを変数とする各関数についてＬ１（Ｎｐ）＝Ｍ１（Ｎｐ）＝Ｎｐｎ、Ｌ２（Ｎｐ）＝Ｍ２（Ｎｐ）＝Ｎｐ（ｎ−１）、…、Ｌｎ−１（Ｎｐ）＝Ｍｎ−１（Ｎｐ）＝Ｎｐ、Ｌｎ（Ｎｐ）＝Ｍｎ（Ｎｐ）＝１にした場合で説明する。
【００８９】
今回実行した印刷条件において、不揮発性ＲＡＭ１３に保存されたｍ（＝ｎ）回分の『定着部立上げ時間』と『印刷実行直前の定着部２０の温度』の各情報を用いて、式２０の立上げ時間算出式に基づく演算手順によってｎ個の所定係数『ｃ′１，…，ｃ′ｎ−１，ｃ′ｎ』の各値をそれぞれ算出する。
〔式２０〕ｔ＝ｃ′１Ｔｎ＋ｃ′２Ｔ（ｎ−１）＋…＋ｃ′ｎ−１Ｔ＋ｃ′ｎ
（ｎは１以上の整数）
【００９０】
この演算処理は、不揮発性ＲＡＭ１３に蓄積された該当する印刷条件に対応する『定着部立上げ時間』と『印刷実行直前の定着部２０の温度』のｎ組の各値をそれぞれ式２０に代入して得られた連立方程式を解くことによってｎ個の所定係数『ｃ′１，…，ｃ′ｎ−１，ｃ′ｎ』の各値をそれぞれ算出する。その算出処理のアルゴリズムは、公知技術を用いると良い。
【００９１】
また、不揮発性ＲＡＭ１３に保存されたｍ（＝ｎ）回分の『定着部立上げ時間』と『定着部立上げ時間中のＡＣ消費電力量』のｎ組の各情報を用いて、式２１の立上げ時交流消費電力算出式に基づく演算手順によってｎ個の所定係数『ｄ′１，…，ｄ′ｎ−１，ｄ′ｎ』の各値をそれぞれ算出する。
〔式２１〕ＰＳＡＣ＝ｄ′１ｔｎ＋ｄ′２ｔ（ｎ−１）＋…＋ｄ′ｎ−１ｔ＋ｄ′ｎ
（ｎは１以上の整数）
【００９２】
この演算処理は、不揮発性ＲＡＭ１３に蓄積された該当する印刷条件に対応する『定着部立上げ時間』と『定着部立上げ時間中のＡＣ消費電力量』のｎ組の各値をそれぞれ式２１に代入して得られた連立方程式を解くことによってｎ個の所定係数『ｄ′１，…，ｄ′ｎ−１，ｄ′ｎ』の各値をそれぞれ算出する。その算出処理のアルゴリズムも、公知技術を用いると良い。
【００９３】
さらに、不揮発性ＲＡＭ１３に保存されたｍ（＝ｎ）回分の『定着部立上げ時間』と『定着部立上げ時間中のＤＣ消費電力量』のｎ組の各情報を用いて、式２２の立上げ時直流消費電力算出式に基づく演算手順によってｎ個の所定係数『ｅ′１，…，ｅ′ｎ−１，ｅ′ｎ』の各値をそれぞれ算出する。
〔式２２〕ＰＳＤＣ＝ｅ′１ｔｎ＋ｅ′２ｔ（ｎ−１）＋…＋ｅ′ｎ−１ｔ＋ｅ′ｎ
（ｎは１以上の整数）
【００９４】
この演算処理も、上述した所定係数『ｄ′１，…，ｄ′ｎ−１，ｄ′ｎ』の各値を求めた場合と同様にして、不揮発性ＲＡＭ１３に蓄積された該当する印刷条件に対応する『定着部立上げ時間』と『定着部立上げ時間中のＡＣ消費電力量』のｎ組の値をそれぞれ式２２に代入して得られた連立方程式を解くことによってｎ個の所定係数『ｅ′１，…，ｅ′ｎ−１，ｅ′ｎ』の各値をそれぞれ算出する。その算出処理のアルゴリズムも、公知技術を用いると良い。
【００９５】
また、不揮発性ＲＡＭ１３に保存されたｍ（＝ｎ）回分の『印刷枚数』と『印刷実行中のＡＣ消費電力量』のｎ組の各情報を用いて、式２３の交流消費電力算出式に基づく演算手順によってｎ個の所定係数『ｆ′１，…，ｆ′ｎ−１，ｆ′ｎ』の各値をそれぞれ算出する。
〔式２３〕ＰＰＡＣ＝ｆ′１Ｎｐｎ＋ｆ′２Ｎｐ（ｎ−１）＋…＋ｆ′ｎ−１Ｎｐ＋ｆ′ｎ
（ｎは１以上の整数）
【００９６】
この演算処理は、不揮発性ＲＡＭ１３に蓄積された該当する印刷条件に対応する『印刷枚数』と『印刷実行中のＡＣ消費電力量』のｎ組の各値をそれぞれ式２３に代入して得られた連立方程式を解くことによってｎ個の所定係数『ｆ′１，…，ｆ′ｎ−１，ｆ′ｎ』の各値をそれぞれ算出する。その算出処理のアルゴリズムも、公知技術を用いると良い。
【００９７】
さらに、不揮発性ＲＡＭ１３に保存されたｍ回分の『印刷枚数』と『印刷実行中のＤＣ消費電力量』の各情報を用いて、数２４の直流消費電力算出式に基づく演算手順によってｎ個の所定係数『ｇ′１，…，ｇ′ｎ−１，ｇ′ｎ』の各値をそれぞれ算出する。
〔式２４〕ＰＰＤＣ＝ｇ′１Ｎｐｎ＋ｇ′２Ｎｐ（ｎ−１）＋…＋ｇ′ｎ−１Ｎｐ＋ｇ′ｎ
（ｎは１以上の整数）
【００９８】
この演算処理も、上述した所定係数『ｆ′１，…，ｆ′ｎ−１，ｆ′ｎ』の各値を求めた場合と同様にして、不揮発性ＲＡＭ１３に蓄積された該当する印刷条件に対応する『印刷枚数』と『印刷実行中のＤＣ消費電力量』のｎ組の各値をそれぞれ式２４に代入して得られた連立方程式を解くことによってｎ個の所定係数『ｇ′１，…，ｇ′ｎ−１，ｇ′ｎ』の各値をそれぞれ算出する。その算出処理のアルゴリズムも、公知技術を用いると良い。
【００９９】
ステップ３９では、今回の印刷条件について、演算式に適用する各所定係数を更新し、ステップ４０へ進む。
ステップ３９の処理では、今回実行した印刷条件について、不揮発性ＲＡＭ１３に保存されている所定係数『ｃ１，…，ｃｎ−１，ｃｎ』の各値を上記算出した所定係数『ｃ′１，…，ｃ′ｎ−１，ｃ′ｎ』の各値にそれぞれ書き換えて更新する。
【０１００】
また、同じく今回実行した印刷条件について、不揮発性ＲＡＭ１３に保存されている所定係数『ｄ１，…，ｄｎ−１，ｄｎ』の各値を上記算出した所定係数の『ｄ′１，…，ｄ′ｎ−１，ｄ′ｎ』各値にそれぞれ書き換えて更新する。
さらに、同じく今回実行した印刷条件について、不揮発性ＲＡＭ１３に保存されている所定係数『ｅ１，…，ｅｎ−１，ｅｎ』の各値を上記算出した所定係数『ｅ′１，…，ｅ′ｎ−１，ｅ′ｎ』の各値にそれぞれ書き換えて更新する。
【０１０１】
また、同じく今回実行した印刷条件について、不揮発性ＲＡＭ１３に保存されている初手係数『ｆ１，…，ｆｎ−１，ｆｎ』の各値を上記算出した所定係数『ｆ′１，…，ｆ′ｎ−１，ｆ′ｎ』の各値にそれぞれ書き換えて更新する。
さらに、同じく今回実行した印刷条件について、不揮発性ＲＡＭ１３に保存されている所定係数『ｇ１，…，ｇｎ−１，ｇｎ』の各値を上記算出した所定係数『ｇ′１，…，ｇ′ｎ−１，ｇ′ｎ』の各値にそれぞれ書き換えて更新する。
【０１０２】
ステップ４０では、不揮発性ＲＡＭ１３から各所定係数の算出に用いた情報を消去し、この処理を終了する。
ステップ４０の処理では、不揮発性ＲＡＭ１３に保存できる情報には限りがあるため、消費電力量の各所定係数の算出時に用いた情報を削除することにより、記憶領域を浪費しないようにしている。
【０１０３】
なお、上述の処理では、温度Ｔを変数とする各関数についてＩ１（Ｔ）＝Ｔｎ、Ｉ２（Ｔ）＝Ｔ（ｎ−１）、…、Ｉｎ−１（Ｔ）＝Ｔ、Ｉｎ（Ｔ）＝１にし、定着部立上げ時間ｔを変数とする各関数についてＪ１（ｔ）＝Ｋ１（ｔ）＝ｔｎ、Ｊ２（ｔ）＝Ｋ２（ｔ）＝ｔ（ｎ−１）、…、Ｊｎ−１（ｔ）＝Ｋｎ−１（ｔ）＝ｔ、Ｊｎ（Ｔ）＝Ｋｎ（Ｔ）＝１にし、印刷枚数Ｎｐを変数とする各関数についてＬ１（Ｎｐ）＝Ｍ１（Ｎｐ）＝Ｎｐｎ、Ｌ２（Ｎｐ）＝Ｍ２（Ｎｐ）＝Ｎｐ（ｎ−１）、…、Ｌｎ−１（Ｎｐ）＝Ｍｎ−１（Ｎｐ）＝Ｎｐ、Ｌｎ（Ｎｐ）＝Ｍｎ（Ｎｐ）＝１にした場合を説明したが、その他の関数をそれぞれ用いるようにしてもよい。
また、画像形成装置１の消費電力量の予測値を、交流も直流も分けずに求めてもよい。
【０１０４】
このようにして、実施形態の画像形成装置１は、印刷前にユーザに通知する消費電力量の算出に用いる所定の係数を定期的に更新するので、画像形成装置１の状態の変化（定着装置の温度、経年変化に伴う駆動部品の劣化等の変化）に対して、精度良く消費電力量を通知することができる。
【０１０５】
なお、上述の処理では、印刷条件毎に定着装置の測定した温度も対応させて記憶させる場合を示したが、定着装置の温度と立上げ時間の蓄積は、印刷条件とは独立させて記憶するようにしても良い。
このようにすれば、定着装置の温度と立上げ時間の組がｎ組蓄積された時点で立上げ予測時間を算出する立上げ時間算出式の所定係数ｃ１，…，ｃｎ−１，ｃｎを更新することができる。
【０１０６】
また、上述の処理では、ある印刷条件について、温度、立上げ時間、立上げ時の交流消費電力量及び直流消費電力量、印刷時の交流消費電力量及び直流消費電力量がｎ組蓄積された場合に各演算に用いる所定係数値を更新する場合を示したが、立上げ時間算出式の所定係数については、必ずしも印刷条件毎に更新する必要はなく、印刷時の定着装置の温度と立上げ時間の組がｎ個揃ったところで更新するようにしても良い。
このようにすれば、定着装置では印刷条件にかかわらず加熱が加わる場合があるので、定着装置の消費電力量の変動に応じて印刷の際の消費電力量の予測値の精度を高めることができる。
【０１０７】
この実施形態の画像形成装置１によれば、使用者に対して、画像形成装置１の現在の状態（定着器の温度等）取得手段、定着器率上げ時間計測手段、印刷枚数計測手段、消費電力計測手段を備え付け、種々の印刷条件（モノクロ／カラー設定、両面／片面設定、紙圧設定、ディザリング設定等）毎に計測した定着器立上げ時間、印刷枚数、消費電力量を記憶手段に蓄積する。規定回数計測を実施すると、計測結果に基づきユーザー通知消費電力算出式を更新するので、印刷前にユーザに消費電力量を通知する際、画像形成装置１の状態の変化（定着装置の温度、経年変化に伴う駆動部品の劣化等の変化）に対して、印刷による消費電力量の予測値を精度良く求めて通知することができる。
【０１０８】
なお、実施形態における上記ｎの値については、使用者が必要な値を自由に設定できるが、例えば、ｎ＝１に設定した場合は印刷の度に毎回所定係数を改めることになり、消費電力量の予測値の精度を最も高めることができる。
また、ｎの値を２以上の整数、例えば、ｎ＝１０のように、ｎの値を画像形成装置１の使用環境に応じた適当な値に設定すれば、上記所定係数の更新を頻繁に行うことなく画像形成装置１の負荷を低減すると共に、消費電力量の予測値の精度を高めることができる。
【０１０９】
以上で実施形態の説明を終了するが、この発明において、各部の具体的な構成、処理の内容、データの形式等は、実施形態で説明したものに限るものではない。
また、上述の実施形態では、この発明を複合機に適用した例について説明した。
しかし、この発明は、画像形成機能を備えたファクシミリ装置、プリンタ、複写機等の任意の画像形成装置に適用可能である。
【０１１０】
さらに、この発明のプログラムは、コンピュータに各種デバイスを制御させ、上述した画像装置の各機能を実現させるためのプログラムとして構成することができる。
このようなプログラムは、予め画像形成装置１のメモリに記憶させておく他、記録媒体であるＣＤ、あるいはフレキシブルディスク、ＳＲＡＭ、ＥＥＰＲＯＭ、メモリカード等の不揮発性記録媒体に記録したり、ネットワークを介してダウンロードできるようにしたりして提供することもできる。
【０１１１】
そして、そのプログラムをインストールしてＣＰＵ１０に実行させるか、ＣＰＵ１０にメモリあるいはダウンロードサーバからこのプログラムを取得させて実行させることにより、上述した実施形態の画像形成装置１の各機能を実現させることができる。
また、以上説明してきた実施形態の構成は、相互に矛盾しない限り任意に組み合わせて実施可能であることは勿論である。
【符号の説明】
【０１１２】
１：画像形成装置    ２：制御部    ３：画像形成部    ４：操作表示部    ５：通信制御部    ６：電源部    ７：ＡＣ／ＤＣコンバータ    ８：外部交流電源    １０：ＣＰＵ    １１：ＲＯＭ    １２：ＲＡＭ    １３：不揮発性ＲＡＭ    １４：Ｉ／Ｏ制御部    １５：ＡＣ負荷部    １６：ＤＣ負荷部    １７：ＡＣ消費電力量計測部    １８：ＤＣ消費電力量計測部    １９：温度検出部    ２０：定着部
【先行技術文献】
【特許文献】
【０１１３】
【特許文献１】特開２００９−７６００３号公報
【図１】
2013097030.tif 000003
【図２】
2013097030.tif 000004
【図３】
2013097030.tif 000005
【図４】
2013097030.tif 000006
【図５】
2013097030.tif 000007
【図６】
2013097030.tif 000008
【図７】
2013097030.tif 000009